(57)【要約】【課題】従来の手乾燥装置は加熱部の保有する加熱能力を利用しきれず、通過する空気を十分に加熱することができないので、それを補うため高容量のヒータで構成したり、複数のヒータを用いた構成とし装置の大型化・高価なものとしているため、安価で小型な構成の手乾燥装置を提供することを目的とする。【解決手段】本体１に送風手段４と加熱手段１０を備えた手乾燥装置において、本体内部でひとつの加熱手段１０に対して送風を複数回通した後に吹出す構成としたので、加熱手段１０の保有する加熱能力を効率的に利用し空気を加熱することから、安価で小型な構成とした手乾燥装置を得られる。【選択図】図１
2007236735.tif 000002
【特許請求の範囲】
【請求項１】
本体に送風手段と加熱手段を備えた手乾燥装置において、本体内部でひとつの加熱手段に対して送風を複数回通した後に吹出すことを特徴とする手乾燥装置。
【請求項２】
加熱手段への送風を複数回通す風路構成とした送風路を備えたことを特徴とする請求項１記載の手乾燥装置。
【請求項３】
起動風量低下手段を備えたことを特徴とする請求項２記載の手乾燥装置。
【請求項４】
起動設定切換手段を備えたことを特徴とする請求項３記載の手乾燥装置。
【請求項５】
本体周囲の温度を検知する周囲温度検知手段を備えたことを特徴とする請求項３記載の手乾燥装置。
【請求項６】
加熱手段通過後の風路から、この加熱手段通過前の風路へ接続される分配風路を備えたことを特徴とする請求項２記載の手乾燥装置。
【請求項７】
分配風路への風量を調整する開閉手段を備えたことを特徴とする請求項６記載の手乾燥装置。
【請求項８】
吹出す温風の温度を検知する吹出温度検知手段とこの吹出温度検知手段の検知結果が所定の範囲となるように開閉手段の開度を調整する開閉調整手段を備えたことを特徴とする請求項７記載の手乾燥装置。
【請求項９】
吹出す温風の温度を検知する吹出温度検知手段とこの吹出温度検知手段の検知結果が所定の値より高いときに加熱手段の通電を停止する加熱停止手段を備えたことを特徴とする請求項２記載の手乾燥装置。
【請求項１０】
吹出す温風の温度を検知する吹出温度検知手段とこの吹出温度検知手段の検知結果が所定の範囲となるように加熱手段の出力を調整する加熱調整手段備えたことを特徴とする請求項２記載の手乾燥装置。
【請求項１１】
加熱遅延手段を備えたことを特徴とする請求項２記載の手乾燥装置。
【請求項１２】
加熱手段の温度を検知する過熱温度検出手段を備えたことを特徴とする請求項１１記載の手乾燥装置。
【発明の詳細な説明】
【技術分野】
【０００１】
本発明は、洗面所やトイレ等で手を洗い、濡れた手を乾燥させる手乾燥装置に関するものである。
【背景技術】
【０００２】
従来、この種の手乾燥装置は、送風の運動エネルギーを利用して手に付着した水分を吹き飛ばす方式としたものが知られている（例えば、特許文献１参照）。
【０００３】
以下、その手乾燥装置について図８および図９を参照しながら説明する。図８および図９に示すように、本体１０１にモータ１０２とターボファン１０３にて構成された送風機１０４と、ヒータ１０５と素通風路１０６にて構成した加熱部１０７と、手を乾燥させる乾燥空間１０８へ高圧空気を吹出す吹出しノズル１０９を有し、送風機１０４にて発生した高圧の空気が加熱部１０７を通過することで昇温して、吹出しノズル１０９から乾燥空間１０８へ高速の温風として吹出すことにより、乾燥空間１０８に差し出された手に付着した水分を吹き飛ばして手の乾燥を実現している。
【特許文献１】特開２００４−７１４号公報
【発明の開示】
【発明が解決しようとする課題】
【０００４】
このような従来の手乾燥装置では、使用者の冷風感を改善するために加熱部にて送風の昇温を行なっているが、本体内における送風の加熱は一度であり、また、送風が加熱部を通過する速度が速いため、加熱部の保有する加熱能力を利用しきれず、通過する空気を十分に加熱することができないので、それを補うため高容量のヒータにて構成したり、複数のヒータを用いた構成としているために装置の大型化や装置を高価なものとしているという課題がある。本発明は、このような従来の課題を解決するものであり、本体内部でひとつの加熱手段に対して送風を複数回通すことで、加熱手段の保有する加熱能力を効率的に利用し空気を加熱することから、安価で小型な構成とすることができる手乾燥装置を提供することを目的としている。
【課題を解決するための手段】
【０００５】
本発明の手乾燥装置は、上記目標を達成するため本体内部でひとつの加熱手段に対して送風を複数回通した後に吹出すことを特徴とする。そして、本発明によれば本体内部でひとつの加熱手段に対して送風を複数回通すことで、加熱手段の保有する加熱能力を効率的に利用し空気を加熱することから、安価で小型な構成とすることができる手乾燥装置が得られる。
【０００６】
また、加熱手段への送風を複数回通す風路構成とした送風路を備えたことを特徴とする。
【０００７】
また、起動風量低下手段を備えたことを特徴とする。
【０００８】
また、起動設定切換手段を備えたことを特徴とする。
【０００９】
また、本体周囲の温度を検知する周囲温度検知手段を備えたことを特徴とする。
【００１０】
また、加熱手段通過後の風路から、この加熱手段通過前の風路へ接続される分配風路を備えたことを特徴とする。
【００１１】
また、分配風路への風量を調整する開閉手段を備えたことを特徴とする。
【００１２】
また、吹出す温風の温度を検知する吹出温度検知手段とこの吹出温度検知手段の検知結果が所定の範囲となるように開閉手段の開度を調整する開閉調整手段を備えたことを特徴とする。
【００１３】
また、吹出す温風の温度を検知する吹出温度検知手段とこの吹出温度検知手段の検知結果が所定の値より高いときに加熱手段の通電を停止する加熱停止手段を備えたことを特徴とする。
【００１４】
また、吹出す温風の温度を検知する吹出温度検知手段とこの吹出温度検知手段の検知結果が所定の範囲となるように加熱手段の出力を調整する加熱調整手段備えたことを特徴とする。
【００１５】
また、加熱遅延手段を備えたことを特徴とする。
【００１６】
また、加熱手段の温度を検知する過熱温度検出手段を備えたことを特徴とする。
【発明の効果】
【００１７】
本発明によれば本体内部でひとつの加熱手段に対して送風を複数回通した後に吹出すことにより低容量の加熱手段の保有する加熱能力を効率的に利用し、空気を加熱することから、省エネルギーで使用者の冷風感を緩和しつつ手を乾燥することができるという手乾燥装置を提供できる。
【００１８】
また、加熱手段への送風を複数回通す風路構成とした送風路を備えたことにより、吹出す温風の加熱斑改善し使用感を良くすることができる手乾燥装置を提供できる。
【００１９】
また、起動風量低下手段を備えたことにより、送風開始時の冷風感を緩和することができる手乾燥装置を提供できる。
【００２０】
また、起動設定切換手段を備えたことにより、温風が不必要な環境で使用されるとき、送風開始風量を切換えることができる手乾燥装置を提供できる。
【００２１】
また、本体周囲の温度を検知する周囲温度検知手段を備えたことにより、周囲温度により送風の開始風量を自動的に切換え、暖かいときは素早く乾燥することに適した高風量起動、寒いときは、冷風感を和らげる低風量起動をすることができる手乾燥装置を提供できる。
【００２２】
また、加熱手段通過後の風路から、この加熱手段通過前の風路へ接続される分配風路を備えたことにより、低容量の加熱手段をより効率的に利用し温風の生成ができる手乾燥装置を提供できる。
【００２３】
また、分配風路への風量を調整する開閉手段を備えたことにより、使用者が温風温度と吹出し風量の調整をすることができる手乾燥装置を提供できる。
【００２４】
また、吹出す温風の温度を検知する吹出温度検知手段とこの吹出温度検知手段の検知結果が所定の範囲となるように開閉手段の開度を調整する開閉調整手段を備えたことにより、使用者の冷風感の緩和と共に熱風感も緩和して使用感を改善することができる手乾燥装置を提供できる。
【００２５】
また、吹出す温風の温度を検知する吹出温度検知手段とこの吹出温度検知手段の検知結果が所定の値より高いときに加熱手段の通電を停止する加熱停止手段を備えたことにより、使用者の冷風感の緩和をしつつ、送風の加熱が不必要なときには加熱手段への通電を停止させるので省エネルギーとすることができる手乾燥装置を提供できる。
【００２６】
また、吹出す温風の温度を検知する吹出温度検知手段とこの吹出温度検知手段の検知結果が所定の範囲となるように加熱手段の出力を調整する加熱調整手段備えたことにより、所定の温風温度に有効な加熱手段の出力で温風の生成ができ、省エネルギーで、冷風感、熱風感の緩和をしつつ手の乾燥をすることができる手乾燥装置を提供できる。
【００２７】
また、加熱遅延手段を備えたことにより、加熱手段の通電を遅延することで次の使用者への予備加熱となり、送風開始時の冷風感の緩和をより早くすることができる手乾燥装置を提供できる。
【００２８】
また、加熱手段の温度を検知する過熱温度検出手段を備えたことにより、次の使用者への有効な予備加熱温度とすることができ、送風開始時の冷風感の緩和と共に熱風感の緩和をすることができる手乾燥装置を提供できる。
【発明を実施するための最良の形態】
【００２９】
本発明の請求項１記載の発明は、本体内部でひとつの加熱手段に対して送風を複数回通した後に吹出すものであり、送風手段にて発生した送風は、加熱手段で複数回加熱することにより、効率的に温風にすることができるという作用を有する。
【００３０】
また、加熱手段への送風を複数回通す風路構成とした送風路を備えたものであり、送風を一定に加熱することができるという作用を有する。
【００３１】
また、起動風量低下手段を備えたものであり、送風開始時に加熱手段を通過する送風の通過速度を遅くし、送風への熱伝達性を良くすることができるという作用を有する。
【００３２】
また、起動設定切換手段を備えたものであり、起動設定切換手段により送風開始時の風量を切換えることができるという作用を有する。
【００３３】
また、本体周囲の温度を検知する周囲温度検知手段を備えたものであり、本体周囲の温度が所定の値以下の場合は風量を低下させて送風を開始し、所定の値を超えている場合は高風量から起動することができるという作用を有する。
【００３４】
また、加熱手段通過後の風路から、この加熱手段通過前の風路へ接続される分配風路を備えたものであり、加熱した送風の一部を再加熱することができるという作用を有する。
【００３５】
また、分配風路への風量を調整する開閉手段を備えたものであり、分配風路への風量を調整することができるという作用を有する。
【００３６】
また、吹出す温風の温度を検知する吹出温度検知手段とこの吹出温度検知手段の検知結果が所定の範囲となるように開閉手段の開度を調整する開閉調整手段を備えたものであり、吹出し温風温度が所定の範囲よりも低い時は開閉手段の開度を広げ、分配風路への風量を増加し再加熱する割合を増加することで吹出し温風温度を高め、吹出し温風温度が所定の範囲よりも高い時は開閉手段の開度を狭めて吹出し温風温度を低下することができるという作用を有する。
【００３７】
また、吹出す温風の温度を検知する吹出温度検知手段とこの吹出温度検知手段の検知結果が所定の値より高いときに加熱手段の通電を停止する加熱停止手段を備えたものであり、吹出し温風温度が所定の値よりも高いときに加熱停止手段において加熱手段への通電を停止させることができるという作用を有する。
【００３８】
また、吹出す温風の温度を検知する吹出温度検知手段とこの吹出温度検知手段の検知結果が所定の範囲となるように加熱手段の出力を調整する加熱調整手段備えたものであり、吹出し温風温度が所定の範囲よりも高い時は加熱手段の出力を低下することで吹出し温風温度を下げ、吹出し温風温度が所定の範囲よりも低い時は加熱手段の出力を上げ温風温度を高めることができるという作用を有する。
【００３９】
また、加熱遅延手段を備えたものであり、送風の停止時に加熱手段への通電を遅らせて加熱手段を加熱することができるという作用を有する。
【００４０】
また、加熱手段の温度を検知する過熱温度検出手段を備えたものであり、加熱手段の温度が所定の温度以上となった場合、加熱手段への通電遅延を停止することができるという作用を有する。
【００４１】
（実施の形態１）
図１から図５に示すように、本体１にモータ２とファン３からなる送風手段４と、この送風手段４へ空気を給気する吸込口５と、起動風量低下手段１３を有し前記モータを駆動するモータ駆動回路６と、手を差し出し手の乾燥を行う乾燥空間７と、この乾燥空間７に差し出された手を検知する手検知手段８と、接続された各手段の信号処理を行う制御手段９を備えた手乾燥装置において、乾燥空間７へ濡れた手を差し出すと、手検知手段８にて手の存在を確認し制御手段９へ運転信号が送信される。
【００４２】
この信号を受信した制御手段９は、モータ駆動回路６へモータ駆動信号を送り、モータ２が駆動することでファン３が回転し、高圧の空気が生成されるので送風手段４としての送風が開始される。
【００４３】
また、モータ２の駆動は起動風量低下手段１３により、定常風量よりも低下させた風量で起動させ加熱手段１０を通過する送風の速度を遅くし、送風への熱伝達性を良くし効率よく昇温した後、定常風量へ切換えてモータ２を駆動する。
【００４４】
前記送風手段４の送風は、加熱手段１０に対して複数回送風を通すように形成された送風路１１（実施の形態１では２回通す構成としている）を通ることで一定に昇温され、吹出口１２より高速の温風として乾燥空間７へ吹出され、乾燥空間７へ差し出された手に付着した水分を吹き飛ばしつつ残留した水分については温風による蒸発を促進し手を乾燥させる。
【００４５】
また、乾燥空間７から手を引き抜いた時には、手検知手段８により手が抜かれたことを検知し、制御手段９へ停止信号が送信される。この信号を受信した制御手段９は、モータ駆動回路６へモータ停止信号を送りモータが停止することでファン３が停止し送風が停止されることとなる。
【００４６】
また、起動設定切換手段１４を備えて、定常風量よりも低下させた風量で起動させる起動風量低下手段１３の機能の有無を設定できる構成とした。
【００４７】
また、本体周囲の温度を検知する周囲温度検知手段１５を備え、周囲温度検知手段１５にて検知した本体の周囲の温度が制御手段９に予め設定した所定の値以下（所定の値は使用者が冷風感を感じる温度に設定する。望ましくは２０℃以下の設定値とする。）の場合は風量を低下させて送風を開始し、所定の値を超えている場合は定常の風量から起動することができる構成とした。
【００４８】
また、吹出す温風の温度を検知する吹出温度検知手段１６と、この吹出温度検知手段１６の検知結果が所定の値より高いときに加熱手段１０の通電を停止する加熱停止手段１７を備え、吹出し温風温度が所定の値（所定の値は使用者が冷風感を感じない温度に設定する。望ましくは２０℃以上の設定値とする。）よりも高いときに加熱停止手段１７において加熱手段１０への通電を停止することができる構成とした。
【００４９】
また、モータ駆動回路６は制御手段９からの信号に応じて、モータ２へ通電を入り切りできれば良く、例えばトライアックを駆動素子とした方式やリレーを用いた方式がある。
【００５０】
また、起動風量低下手段１３はモータ２の回転数を低下させられれば良く、例えばモータ２の電源に直列接続した抵抗とその抵抗に対して並列に接続したリレーによる構成とし、リレー接点が開放しているときには抵抗とモータ２の分圧となり、モータ２への印加電圧が低下することで回転数が低下することを利用した方式とすることや、トライアックの位相制御を用いてモータ２へ印加する電圧を制御し回転数を低下させる方式がある。
【００５１】
また、手検知手段８は乾燥空間７の手の有無を検知できれば良く、例えば赤外線ＬＥＤと赤外線受光素子を用いて赤外線の反射を利用して検出する方式や、赤外線エリアセンサ、超音波やレーザを用いた測距センサがある。
【００５２】
また、制御手段９は各手段からの信号を受信し、必要な手段へ出力信号を送信できれば良く、例えば１チップマイコンなどの集積回路やコンパレータやトランジスタなどのデバイス部品を組合せた論理回路や出力増幅回路としても良い。
【００５３】
また、起動設定切換手段１４は、使用者が求める起動の風量設定が判断できれば良く、例えばスライドスイッチやプッシュスイッチ、タッチパネルの静電容量変化を検出するスイッチ方式がある。
【００５４】
また、周囲温度検知手段１５と吹出温度検知手段１６は温度の検知ができれば良く、例えば正特性サーミスタ、負特性サーミスタがある。
【００５５】
また、加熱停止手段１７は加熱手段１０の通電を停止できれば良く、例えばリレーなどの機械式スイッチやトライアックなどの半導体スイッチがある。また、加熱停止手段１７の作用を制御手段９の機能として有しても、その作用と効果は同一である。
【００５６】
上記構成において、低容量の加熱手段が保有する加熱能力を効率的に利用し、送風の昇温するため、省エネルギーで使用者の冷風感を緩和しつつ、手を乾燥することができる。
【００５７】
また、吹出す温風の加熱斑改善し使用感を良くすることができる。
【００５８】
また、送風開始時の冷風感を緩和することができる。
【００５９】
また、温風が不必要な環境で使用されるとき、送風開始風量を切換えることができる。
【００６０】
また、周囲温度により送風の開始風量を自動的に切換え、暖かいときは素早く乾燥することに適した定常風量起動、寒いときは、冷風感を和らげる低風量起動とすることができる。
【００６１】
また、使用者の冷風感の緩和をしつつ、送風の加熱が不必要なときには加熱手段への通電を停止させるので省エネルギーとすることができる。
【００６２】
（実施の形態２）
次に図６を用いて実施の形態２について説明する。実施の形態２の説明において既に実施の形態１で説明した同一部品については同一符号を付与し説明を省略する。
【００６３】
図６に示すように、加熱手段１０を通過した後の風路から、この加熱手段１０を通過する前の風路へ接続された分配風路１８を備え、加熱手段１０において加熱した送風の一部を、送風手段４により再度加熱手段１０にて加熱する循環風路を構成した。
【００６４】
また、分配風路１８への風量を調整する開閉手段１９を備え、分配風路１８への風量を調整できる構成とした。
【００６５】
また、吹出す温風の温度を検知する吹出温度検知手段１６とこの吹出温度検知手段１６の検知結果が所定の範囲となるように開閉手段１９の開度を調整する開閉調整手段２０を備え、吹出し温風温度が所定の範囲（所定の範囲は使用者が冷風感を感じる温度から熱風感を感じる温度に設定する。望ましくは２０℃以下の設定値から３５℃以上の設定範囲値とする。）よりも低い時は開閉手段１９の開度を広げ、分配風路１８への風量を増加し再加熱する割合を増加することで吹出し温風温度を高め、吹出し温風温度が所定の範囲よりも高い時は開閉手段１９の開度を狭めて吹出し温風温度を低下することができる構成とした。
【００６６】
また、開閉手段１９は、取り付けられた風路の開閉により流れる風量を調整できれば良く、例えば手動式の開閉バルブ、シャッター、ダンパーや電気により駆動する電動弁、電動シャッター、電動ダンパーがある。
【００６７】
また、開閉調整手段２０は、制御手段９からの信号に応じて開閉手段１９を開閉できれば良く、例えばトランジスタやバッファ回路を用いた増幅回路、リレー、トライアックを用いた半導体スイッチがある。
【００６８】
上記構成において、加熱手段１０をより効率的に利用し温風の生成ができるので、更なる低容量化が図れる。
【００６９】
また、使用者が温風温度と吹出し風量の調整をすることができる。
【００７０】
また、使用者の冷風感の緩和と共に熱風感も緩和して使用感を改善することができる。
【００７１】
（実施の形態３）
次に図７を用いて実施の形態３について説明する。実施の形態３の説明において既に実施の形態１で説明した同一部品については同一符号を付与し説明を省略する。
【００７２】
図７に示すように、吹出す温風の温度を検知する吹出温度検知手段１６とこの吹出温度検知手段１６の検知結果が所定の範囲となるように加熱手段１０の出力を調整する加熱調整手段２１備え、吹出し温風温度が所定の範囲（所定の範囲は使用者が冷風感を感じる温度から熱風感を感じる温度に設定する。望ましくは２０℃以下の設定値から３５℃以上の設定範囲値とする。）よりも高い時は加熱手段１０の出力を低下することで吹出し温風温度を下げ、吹出し温風温度が所定の範囲よりも低い時は加熱手段１０の出力を上げ温風温度を高めることができる構成とした。
【００７３】
また、加熱遅延手段２２を備え、送風の停止時に加熱手段１０への通電を遅らせて加熱手段１０を加熱することができる構成とした。
【００７４】
また、加熱手段１０の温度を検知する過熱温度検出手段２３を備え、加熱手段１０の温度が所定の温度（所定の温度は次に使用されたときの送風開始時に使用者へ冷風感を与えない温度であれば良い。望ましくは４０℃以上の設定値とする。）以上となった場合、加熱手段１０への通電遅延を停止することができる構成とした。
【００７５】
また、加熱調整手段２１は加熱手段１０の出力を調整できれば良く、例えば加熱手段１０の電源に直列接続した抵抗とその抵抗に対して並列に接続したリレーによる構成とし、リレー接点が開放しているときには抵抗と加熱手段１０の分圧となり、加熱手段１０への印加電圧が低下することで加熱手段の出力が低下することを利用した方式とすることや、トライアックの位相制御を用いて加熱手段１０へ印加する電圧を制御し出力を調整させる方式がある。
【００７６】
また、加熱遅延手段２２は送風の停止時に加熱手段１０への通電を遅らせられれば良く、例えばオフディレーリレーがある。また、加熱遅延手段２２の作用を制御手段９の機能として有しても、その作用と効果は同一である。
【００７７】
また、過熱温度検出手段２３は温度の検知ができれば良く、例えば正特性サーミスタ、負特性サーミスタ、サーモスタッドがある。
【００７８】
上記構成において、所定の温風温度に有効な加熱手段１０の出力で温風の生成ができ、省エネルギーで、冷風感、熱風感の緩和をしつつ手の乾燥をすることができる。
【００７９】
また、加熱手段１０の通電を遅延することで次の使用者への予備加熱となり、送風開始時の冷風感の緩和をより早くすることができる。
【００８０】
また、次の使用者への有効な予備加熱温度とすることができ、送風開始時の冷風感の緩和と共に熱風感の緩和をすることができる。
【産業上の利用可能性】
【００８１】
本発明の手乾燥装置は、ひとつの加熱手段に送風を複数回通して、加熱手段の保有する能力を効率的に利用して温風を生成することを特徴としたものであり、加熱手段を使用する空調機や乾燥機にも適用できる。
【図面の簡単な説明】
【００８２】
【図１】本発明の実施の形態１記載の本体構成を示す斜視図
【図２】同構成を示すブロック図
【図３】同送風路の構成一例を示す斜視図
【図４】同送風路の組み付け一例を示す斜視図
【図５】同送風路の送風の流れを示す断面図
【図６】本発明の実施の形態２記載の構成を示すブロック図
【図７】本発明の実施の形態３記載の構成を示すブロック図
【図８】従来の手乾燥装置の一例を示すブロック図
【図９】従来の手乾燥装置の加熱部を示す断面図
【符号の説明】
【００８３】
１    本体
２    モータ
３    ファン
４    送風手段
５    吸込口
６    モータ駆動回路
７    乾燥空間
８    手検知手段
９    制御手段
１０  加熱手段
１１  送風路
１２  吹出口
１３  起動風量低下手段
１４  起動設定切換手段
１５  周囲温度検知手段
１６  吹出温度検知手段
１７  加熱停止手段
１８  分配風路
１９  開閉手段
２０  開閉調整手段
２１  加熱調整手段
２２  加熱遅延手段
２３  過熱温度検出手段
【図１】
2007236735.tif 000003
【図２】
2007236735.tif 000004
【図３】
2007236735.tif 000005
【図４】
2007236735.tif 000006
【図５】
2007236735.tif 000007
【図６】
2007236735.tif 000008
【図７】
2007236735.tif 000009
【図８】
2007236735.tif 000010
【図９】
2007236735.tif 000011